(57)【要約】  【課題】  本発明の目的は、豪雨等に際しても浸透型の貯水施設として洪水防止に充分対応でき、かつ散水用等に供することのできる貯留型の貯水施設としての能力をも備えた雨水貯水施設を提供することにある。  【解決手段】  本発明の雨水貯水施設は、地面１を掘り下げて設けられた貯水部２と、貯水部２の底面と側面とを覆う透水性シ−ト３と、透水性シ−ト３で覆われた貯水部２の底面及び側面のうち前記底面及びこの底面に連なる側面下部とを覆う遮水シート４と、これら透水性シ−ト３と遮水シート４とで覆われた貯水部２内に配設され複数の骨格ブロック５を組み立てて構成されている空間保持骨格と、貯水部２の上面を覆う被覆層７とを有することを特徴とするものである。  【選択図】  図１
2008208521.tif 000002
【特許請求の範囲】
【請求項１】
地面を掘り下げて設けられた貯水部と、該貯水部の底面と側面とを覆う透水性部材と、該透水性部材で覆われた前記貯水部の底面及び側面のうち前記底面及びこの底面に連なる側面下部とを覆う遮水シートと、これら透水性部材と遮水シートとで覆われた貯水部内に配設され複数の骨格ブロックを組み立てて構成されている空間保持骨格と、前記貯水部の上面を覆う被覆層とを有することを特徴とする雨水貯水施設。
【請求項２】
前記透水性部材は、透水性シ−ト、透水性中詰材または導水性部材のいずれか、もしくはこれらを組合せたものであることを特徴とする請求項１記載の雨水貯水施設。
【請求項３】
地面を掘り下げて設けられた貯水部と、該貯水部の底面と側面とを覆う透水性シ−トと、該透水性シ−トで覆われた前記貯水部の底面及び側面のうち前記底面及びこの底面に連なる側面下部とを覆う遮水シートと、これら透水性シ−トと遮水シートとで覆われた貯水部内に配設され複数の骨格ブロックを組み立てて構成されている空間保持骨格と、前記貯水部の上面を覆う被覆層とを有する雨水貯水施設において、前記貯水部の側面の前記透水性シ−トと前記遮水シートとの間に透水性中詰材が充填されていることを特徴とする雨水貯水施設。
【請求項４】
地面を掘り下げて設けられた貯水部と、該貯水部の底面と側面とを覆う透水性シ−トと、該透水性シ−トで覆われた前記貯水部の底面及び側面のうち前記底面及びこの底面に連なる側面下部とを覆う遮水シートと、これら透水性シ−トと遮水シートとで覆われた貯水部内に配設され複数の骨格ブロックを組み立てて構成されている空間保持骨格と、前記貯水部の上面を覆う被覆層とを有する雨水貯水施設において、前記透水性シートと前記遮水性シートとの間に導水性部材が設けられていることを特徴とする雨水貯水施設。
【請求項５】
前記導水性部材は多数の通水孔を有する中空状板材、ポーラス状板材もしくはポーラスパイプであることを特徴とする請求項２または請求項４記載の雨水貯水施設。
【発明の詳細な説明】
【技術分野】
【０００１】
本発明は、例えばビルや集合住宅、あるいは戸建の住宅等の駐車場や駐輪場等の地下に形成される雨水貯水施設に関するものである。
【背景技術】
【０００２】
従来から、例えば大雨の際、雨水の急激な河川への流出を防ぐ等の目的から、あるいは雨水を防火用として、また花壇や菜園等の散水用として、さらには洗車用等として利用すべく、ビルや団地周辺の空き地、あるいは駐車場や駐輪場等の地下に貯水施設を設け、これに雨水を貯える試みが種々成されてきた。
特に昨今では、夏季の水不足に備えて、新しく団地を建設するような場合には、しばしばこの種の雨水貯水施設が設けられるようになってきている。
【０００３】
また最近では、大きなビルや団地等に限らず、戸建ての住宅でも雨水の利用が考えられるようになって来ている。具体的には、花壇や庭への散水用として、あるいは洗車用や洗濯用等への利用が考えられている。
【０００４】
前述したようにこの種の貯水施設には、大雨の際、雨水の急激な河川への流出を防いで都市型の洪水を防止する等の目的で作られた浸透型の貯水施設と、防火用、散水用あるいは洗車用、洗濯用に雨水を貯水する貯留型の貯水施設がある。
前者は、地面を掘って形成した貯水部内面を、一般的には透水性シ−トで覆い、貯えられた雨水を地中に浸透させて、豪雨時に雨水が急激に河川に流れ込むのを防止している。
一方、後者の貯留型にあっては、貯水部内面を遮水シートで覆って、貯えた雨水が地中にしみださないようにして長期間利用できるように工夫されている。
【０００５】
ところで昨今においては、温暖化現象のせいか豪雨が続いたり旱魃が続いたりと、気象の変化が極めて大きくなってきており、そのため豪雨時都市型の洪水を防ぐことと、旱魃時の水不足を防ぐことの両方に対する対策が急がれている。
このような課題に対して、貯水した雨水を地中に浸透させつつもその一部を旱魃時に備えて防火用や散水用等に利用可能な、いわゆる浸透型と貯留型とを兼ね備えた雨水貯水施設が求められるようになってきている。
【０００６】
一般的にいって、浸透型と貯留型の両方の雨水貯水施設を別個に設けることも考えられるが、設置場所が限られているマンションや戸建住宅では設置それ自体が困難である。また２つも貯水施設を設けることはコスト的にも高額になり、問題である。
そこで特許文献１に記載されているように浸透型と貯留型とを兼ね備えた雨水貯水施設の提案が成されている。
【０００７】
【特許文献１】特許第３１０３３００号（特開平９−１１１８１４号公報）
【発明の開示】
【発明が解決しようとする課題】
【０００８】
特許文献１に開示されている貯水施設は、地面を掘って形成した貯水部の側面を透水性シ−トで覆い、しかる後、透水性シ−トで覆われた側面の下部部分、具体的には貯水部の底から全体の深さの２／３程度までを、さらに透水性マットで覆い、最後に貯水部の底面と前記透水性マットとを遮水シートで覆い、このようにして形成した貯水部内に多孔質礫状の貯水材を充填したものである。
このようにしてなる特許文献１に記載の貯水施設においては、遮水シートで覆った貯水部の底からの深さ２／３程度までが貯留型の貯水施設、遮水シートで覆われていない貯水部上部が浸透型の貯水施設になっている。
このような貯水施設の場合、貯水に関してはほぼ設計通りの貯水量を確実に保持でき、貯留型の施設としての目的はほぼ達成できる。しかしながら豪雨に際しては、この貯水施設に流れ込んだ雨水の地中への浸透が不充分で、都市型洪水を防止するという、いわゆる浸透型の貯水施設としての働きは不充分である。
【０００９】
その理由は、貯水部に流れ込んだ雨水の地中への浸透は、遮水シートで覆われていない貯水部の側面上部、具体的には深さが全体の１／３に相当する側面上部と、透水性シ−トと遮水シート間に挟まれている透水性マットを介しての残りの２／３の深さに相当する側面下部、すなわち貯水部の４面の側面からの浸透に限られ、貯水部の底面からの浸透はほとんど期待できないからである。
そのため大雨で貯水部への雨水の流入量が急増した場合には、地中への浸透が間に合わず、結局、貯水部に流れ込むや否や、直ちに貯水部の流出口から河川に繋がる排水溝に流れ出し、都市型の洪水を防止する、という本来の目的を達成することができない、という問題がある。
【００１０】
前述の問題に鑑み本発明の目的は、豪雨等に際しても浸透型の貯水施設として洪水防止に充分対応でき、しかも散水用等に供することのできる貯留型の貯水施設としての能力をも備えた雨水貯水施設を提供することにある。
【課題を解決するための手段】
【００１１】
前記目的を達成すべく本発明の請求項１記載の雨水貯水施設は、地面を掘り下げて設けられた貯水部と、該貯水部の底面と側面とを覆う透水性部材と、該透水性部材で覆われた前記貯水部の底面及び側面のうち前記底面及びこの底面に連なる側面下部とを覆う遮水シートと、これら透水性部材と遮水シートとで覆われた貯水部内に配設され複数の骨格ブロックを組み立てて構成されている空間保持骨格と、前記貯水部の上面を覆う被覆層とを有することを特徴とするものである。
【００１２】
また請求項２記載の雨水貯水施設は、請求項１記載の雨水貯水施設において、前記透水性部材は、透水性シ−ト、透水性中詰材または導水性部材のいずれか、もしくはこれらを組合せたものであることを特徴とするものである。
【００１３】
さらに請求項３記載の雨水貯水施設は、地面を掘り下げて設けられた貯水部と、該貯水部の底面と側面とを覆う透水性シ−トと、該透水性シ−トで覆われた前記貯水部の底面及び側面のうち前記底面及びこの底面に連なる側面下部とを覆う遮水シートと、これら透水性シ−トと遮水シートとで覆われた貯水部内に配設され複数の骨格ブロックを組み立てて構成されている空間保持骨格と、前記貯水部の上面を覆う被覆層とを有する雨水貯水施設において、前記貯水部の側面の前記透水性シ−トと前記遮水シートとの間に透水性中詰材が充填されていることを特徴としている。
【００１４】
加えて請求項４記載の雨水貯水施設は、地面を掘り下げて設けられた貯水部と、該貯水部の底面と側面とを覆う透水性シ−トと、該透水性シ−トで覆われた前記貯水部の底面及び側面のうち前記底面及びこの底面に連なる側面下部とを覆う遮水シートと、これら透水性シ−トと遮水シートとで覆われた貯水部内に配設され複数の骨格ブロックを組み立てて構成されている空間保持骨格と、前記貯水部の上面を覆う被覆層とを有する雨水貯水施設において、前記透水性シートと前記遮水性シートとの間に導水性部材が設けられていることを特徴とするものである。
また請求項５記載の雨水貯水施設は、請求項２または請求項４記載の雨水貯水施設において、前記導水性部材は多数の通水孔を有する中空状板材、ポーラス状板材もしくはポーラスパイプであることを特徴としている。
【００１５】
このようにしてなる本発明の雨水貯水施設によれば、例えば豪雨の場合、貯水部に流れ込んできた雨水は、透水性部材のみで覆われている貯水部の側面上部からしみだし透水性部材、具体的には透水性シートや導水性部材、あるいは透水性中詰材を介して遮水シートで覆われている貯水部の側面下部や底面にも素早く回り込むことができる。
その結果、貯水部に流れ込んできた雨水は、貯水部の側面だけでなく底面からも、すなわち貯水部の内表面全体から地中に素早く浸透可能になる。それ故、散水用等の貯留型の貯水施設としてだけではなく、洪水を防ぐ浸透型の貯水施設としても充分な能力を兼ね備えたものになる。
【発明の効果】
【００１６】
このように本発明の雨水貯水施設によれば、豪雨等に際しても浸透型の貯水施設として洪水防止に充分対応でき、しかも散水用等に供することのできる貯留型の貯水施設としての能力をも備えた雨水貯水施設を提供することができる。
【発明を実施するための最良の形態】
【００１７】
以下に本発明の雨水貯水施設の実施例を、図１〜図７を用いて詳細に説明する。図１は本発明の雨水貯水施設の一実施例を示す概略断面図である。
図１に示すように、地面１を掘り下げて、平面形状が、例えば略長方形あるいは略正方形の貯水部２を形成する。しかる後貯水部２の内表面全体、すなわち底面や側面全体を透水性部材、ここでは透水性シ−ト３で覆う。この透水性シ−ト３としては、例えば厚さ５ｍｍ程度の不織布を１枚あるいは複数枚重ねて用いる。この不織布の目は細かく、水分は通すが、貯水部２の内表面、すなわち地表面側から細かな土砂が貯水部２の内側に侵入して貯水部２内に堆積することのないように土砂の侵入防止部材としても作用する。
尚、透水性シ−ト３の合わせ目から土砂が侵入しないように、合わせ目は溶着等により接着されている。
【００１８】
次に透水性シ−ト３の内側の貯水部２の底面と側面の下方部分に相当する部分を、例えばＥＰＤＭ（エチレンプロピレンゴム）等のゴム製の遮水シート４で覆う。この際、遮水シート４の合わせ目は水漏れしないように、例えば熱溶着する。尚、この遮水シート４を保護するために透水性シ−ト３よりも厚手の不織布を遮水シート４の上にさらに重ねてもよい。
ここで側面の下方部分とは、底面に連なり、底面から貯水部２の深さの１／４〜３／４程度に相当する側面部分をいう。貯水部２の深さの１／４〜３／４の範囲で、具体的に幾らにするかは貯水部２の大きさやその目的、すなわち洪水防止を主目的にしているか、散水用等の貯水を主目的にしているか等によって適宜選択される。
【００１９】
このように貯水部２の側面や底面を透水性シ−ト３や遮水シート４で覆い終えたら、その上、すなわち貯水部２の底面の遮水シート４上に樹脂製、例えばポリプロピレン製の骨格ブロック５（以下樹脂製骨格ブロック５という）を上下縦横に複数個連結して空間保持骨格を形成する。ところで図１においては図を簡略化するため、樹脂製骨格ブロック５の一部のみ記載し、その大部分は省略してあるが、実際には貯水部２内に隈なく樹脂製骨格ブロック５が組み込まれる。
尚、図１に示す樹脂製骨格ブロック５は、円筒体の上下に正方形状の枠体が一体形成された樹脂製のもので、図示してはいないが枠体部分に連結突起やこの連結突起が嵌合する嵌合穴をそれぞれが有していて、互いの連結突起を相手の嵌合穴に嵌合させて順次連結し、空間保持骨格を形成している。
【００２０】
前記樹脂製骨格ブロック５は種々の形状のものが提案されており、図１に示す樹脂製骨格ブロック５以外に、例えば箱型のもの、円筒状のもの、トレイ状のもの等がある。それ故、この発明においても図１に示すものに限定されるものではない。因みに、このように樹脂製骨格ブロック５で貯水部２内に形成された空間保持骨格の貯水空隙率は９０％以上であることが好ましい。
【００２１】
貯水部２内全体に樹脂製骨格ブロック５による空間保持骨格を形成し終えたら、その上に、例えば必要なら天板を載せた後、これに不織布等からなる透水性シ−ト６を被せ、さらにその上に掘り起こした土を埋め戻す等して被覆層７を形成する。
図１において、符号９は雨水貯水施設への雨水の流入口で、その直前には石や砂利等の大きな土砂を沈殿させる沈殿槽１０が設けられている。また符号１１は貯水部２内の状態、例えば土砂の堆積状態などを監視するためのマンホール、そして符号１２は貯水部２の流出口を、符号１３は流出口１２に連結して設けられている雨水汲出坑で、符号１４はこの雨水汲出坑１３の底に設置されている雨水汲み上げ用のポンプを示している。
【００２２】
尚、前述した透水性シ−ト３や遮水シート４は予め貯水部２の大きさに合わせて工場内でその合わせ目を熱溶着等したものを用意しておき、これを地面１に掘った貯水部２内に設置すれば、その合わせ目をより確実に接合できたものを用いることができ好ましい。
その理由は、透水性シ−ト３の場合であれば、その合わせ目が確実に接合されていれば、貯水部２の表面（土砂表面）から細かな粒子の土砂が貯水部２の内側に侵入してくるのをより確実に防止できるし、遮水シート４の場合であれば、貯水部２内に貯水されている水を地中により漏れ難くできるからである。
【００２３】
ところで、このように予め袋状にした透水性シ−ト３や遮水シート４を貯水部２内に持ち込む場合に限らず、貯水部２内で透水性シート３や遮水シート４の溶着作業等を行う場合も、作業をやり易くするため、通常、地面１には予定している貯水部２よりも大きな容量の穴を掘る。
その結果、図１に示す雨水貯水施設の場合、掘った貯水部２の内表面、すなわち土砂表面と透水性部材、例えば透水性シート３との間には隙間ができることが多い。このように隙間ができた場合には、後からその隙間に貯水部２を掘った際出た残土等を埋め戻せばよい。因みに、本明細書においては以下に説明する本発明の別の実施例も含めて、このように残土等を埋め戻した場合には、透水性シ−ト３等の透水性部材とこの埋め戻された残土等との界面を貯水部２の表面（土砂表面）と定義する。
【００２４】
このようにしてなる図１に示す雨水貯水施設においては、豪雨の際、貯水部２への雨水の流入量が急増して、雨水が遮水シート４で覆われている貯水部２の下方部分に溜まり切れなくなると、遮水シート４の上端から溢れ、透水性シ−ト３だけで覆われている側面から地中に浸透していく。同時に、透水性シ−ト３は、遮水シート４の外側を覆って貯水部２の下方部分の側面や底面まで延びているため、溢れた雨水はこの透水性シ−ト３を伝って貯水部２の側面下部や底面まで達し、そこからも地中に浸透して逃げていくことができる。
すなわち、図１に示す雨水貯水施設では、透水性シ−ト３が貯水部２の内表面全体を直接覆っているため、貯水部２の内表面全体から雨水は地中に浸透可能になっている。その結果、豪雨の際にも、貯水部２に流入した雨水をより素早く地中へと浸透させて逃がすことができ、この雨水貯水施設から河川への急激な雨水の流れ込みを緩和できる。
【００２５】
図２に本発明の雨水貯水施設の別の実施例を示す。図２も図１同様に雨水貯水施設の概略断面図である。尚、図１と同じものには同一の符号を付し、その説明は省略する。
図２に示す雨水貯水施設の特徴は、図１に示す雨水貯水施設の貯水部２の側面において、透水性シ−ト３と遮水シート４との間に、透水性があり空隙率の大きな、例えば砕石や、球体状の、あるいはパイプ状の樹脂成形体、または金属成形体等からなる透水性中詰材１５が充填されている点にある。また符号１６はこれら透水性中詰材１５が貯水部２内部に零れ落ちてこないように設けた不織布等からなる透水性シ−トである。この透水性シ−ト１６の下端は遮水シート４の上端に溶着等されて四方の側面上部を覆っている。
【００２６】
図２に示す雨水貯水施設によれば、遮水シート４で覆われた貯水部２を越えて溢れた雨水は、透水性シ−ト１６から透水性中詰材１５へと浸透し、この透水性中詰材１５を介して貯水部２の側面全体から、同時にこの透水性中詰材１５を介して貯水部２の底面全体を覆う透水性シ−ト３へと伝わって底面全体からも地中へと素早く浸透していく。
図２に示す雨水貯水施設の場合、遮水シート４の上端から溢れた雨水が、透水性シ−ト３のみを介して貯水部２の底面に回り込む図１に示す雨水貯水施設と比較して、透水性シ−ト３だけではなく、空隙率の大きな透水性中詰材１５も介して側面下部に浸透するため、側面部から底面部へ伝わる水分量が大きくなって、より一層側面及び底面からの地中への浸透が促進される。
その結果、豪雨の場合であっても、貯水部２に流入した雨水をより一層素早く地中へと浸透させて逃がすことができ、この雨水貯水施設から河川への雨水の急激な流れ込みを阻止できる。
ところで図２における透水性中詰材１５の外側にある透水性シ−ト３や内側にある透水性シ−ト１６は省略することもできる。但し、透水性シ−トを設置しておいた方が、貯水部３の表面（土砂表面）から貯水部３の内部に粒子の細かな土砂が透水性中詰材１５を通り抜けて侵入してくるのを防止できるし、透水性中詰材１５が貯水部３の内部に崩れ落ちるのを防止でき好ましい。
【００２７】
図３は本発明のさらに別の実施例を示す概略断面図である。
図３に示す雨水貯水施設の特徴は、図１に示す雨水貯水施設における透水性シ−ト３と遮水シート４との間全体に、すなわち貯水部２の遮水シート４で覆われた下部側面と底面全体に導水性部材１８を配設した点にある。
この導水性部材１８としては、例えば図４に示すような中空状板材、すなわち、厚さの薄い断面矩形パイプに外側から内側の空洞部に連通する多数の通水孔１９が設けられたもの、図５に示すように各方向に互いに連通する多数の通水孔１９を有するポーラス状の樹脂板、あるいは図６に示すようなポーラスパイプ、すなわち、樹脂パイプにパイプの内側空洞部に連通する多数の通水孔１９を設けたもの、あるいはこれら以外にも断面Ｕ字状で、Ｕ字状の内側と外側に連通する多数の通水孔１９を有するもの等が使用できる。
因みに、これら導水性部材１８としては、貯水部２内に貯水される水の重さに耐えて水路を確保できる機械的強度が保持されるものであればいかなる材質であってもよい。但し、組立性や運搬性等を考慮するとポリエチレンやポリプロピレン等からなる樹脂製であることが好ましい。
【００２８】
尚、導水性部材１８として図４や図５に示すような板状のものを用いた場合には、これら導水性部材１８が貯水部２の表面、すなわち土砂表面側から貯水部２内部への土砂の侵入防止材としても作用するため、導水性部材１８と重なる部分の透水性シ−ト３を省略してもよい。もちろん、透水性シ−ト３があった方がより確実に土砂の侵入を防止できるので好ましい。
【００２９】
図７は図３に示す雨水貯水施設の左端下方部分の一部拡大図である。ここでは導水性部材１８として、図４に示すものを貯水部２の底面に設置し、図５に示すものを側面側に配設してある。
図３及び図７に示す雨水貯水施設においては、遮水シート４で覆われた貯水部２の下方部分に溜まった雨水が遮水シート４の上端を越えると、空隙率の大きな導水性部材１８により貯水部２の側面下部全体へ、そして底面へと素早く運ばれる。その結果、これら導水性部材１８に形成されている通水孔１９から貯水部２の土砂表面側（岩盤側）の地中へと素早く浸透していく。特に、図４や図６に示すように内部が空洞のものを使用すると、貯水部２から溢れた雨水の貯水部２の底面への移動は極めて短時間で行われるため、より一層雨水の地中への浸透量を増やすことが可能になり、都市型洪水防止効果をより高めることが可能になる。
【００３０】
ところで、図１においては透水性部材として透水性シ−ト３を用いた例を示しているが、透水性シ−ト３に換えて透水性中詰材１５や導水性部材１８を各々単独で用いてもよい。あるいはまたこれら透水性シ−ト３、透水性中詰材１５及び導水性部材１８を適宜組合せて用いてもよい。
例えば、貯水部２の側面においては導水性部材１８を設け、底面には透水性中詰材１５を設置してもよい。各々を単独に遮水シート４と組合せて用いるか、もしくは透水性部材として透水性シ−トと透水性中詰材、あるいは透水性中詰材と導水性部材、もしくはこれら３つを組合せた上で遮水シート４と組合せるかは、貯水部２の大きさや貯水部２の設置場所の水はけの良し悪し等の条件を種々鑑みて決定すればよい。
【００３１】
以上に述べたように本発明の雨水貯水施設においては、いずれの場合も遮水シート４で覆われた貯水部２の下方部分から溢れた雨水は、透水性シ−ト３や透水性中詰材１５、あるいは導水性部材１８を介して、貯水部２の側面だけでなく底面にも回り込むことができる。そのため、雨水の浸透可能な面積を大幅に拡大することができ、その分、より短時間で溢れた雨水を地中に浸透させ、逃がすことができるようになる。
その結果、この雨水貯水施設は散水用等の目的の貯留型の貯水施設としてだけでなく、都市型の洪水を防止する浸透型の貯水施設としても、その作用効果を一段と高めることができる。
ところで最近の郊外の大型店舗においては、その深さが２ｍ前後、あるいはそれ以下で、その分底面の面積が１万平方メートルを超えるような雨水貯水施設が建設されるようになってきており、このように側面よりも底面の面積が大きなものにあっては、本発明の雨水貯水施設のように、その底面からも雨水を地中に浸透させることのできるものは洪水防止効果が極めて大きい。
【００３２】
このように本発明によれば、豪雨等に際しても浸透型の貯水施設として洪水防止に充分対応でき、しかも散水用等に供することのできる貯留型の貯水施設としての能力をも備えた雨水貯水施設を提供することができる。
【図面の簡単な説明】
【００３３】
【図１】本発明の雨水貯水施設の一実施例を示す概略断面図である。
【図２】本発明の雨水貯水施設の別の実施例を示す概略断面図である。
【図３】本発明の雨水貯水施設のさらに別の実施例を示す概略断面図である。
【図４】図３に示す導水性部材の一例を示す斜視図である。
【図５】図３に示す導水性部材の別の例を示す斜視図である。
【図６】図３に示す導水性部材のさらに別の例を示す斜視図である。
【図７】図３に示す雨水貯水施設の左端下方部分の一部拡大図である。
【符号の説明】
【００３４】
２  貯水部
３  透水性シ−ト
４  遮水シート
５  樹脂製骨格ブロック
６  透水性シ−ト
７  被覆層
９  流入口
１２  流出口
１３  雨水汲出坑
１５  透水性中詰材
１８  導水性部材
１９  通水孔
【図１】
2008208521.tif 000003
【図２】
2008208521.tif 000004
【図３】
2008208521.tif 000005
【図４】
2008208521.tif 000006
【図５】
2008208521.tif 000007
【図６】
2008208521.tif 000008
【図７】
2008208521.tif 000009